(57)【特許請求の範囲】
【請求項１】
透明基板の両面に、それぞれ前記透明基板側から、感光性樹脂と紫外線吸収剤とを含む中間樹脂層、及び透明導電膜の順に積層する工程と、
両面側の前記中間樹脂層及び前記透明導電膜をそれぞれ覆うようにマスクを配置して、両面側から紫外線によるパターン露光を行う工程と、
現像して、前記透明基板の両面に前記透明導電膜からなる透明電極を形成する工程と、
を備えるタッチ入力センサの製造方法。
【請求項２】
前記中間樹脂層において、感光性樹脂層中に前記紫外線吸収剤が分散保持されている請求項１に記載のタッチ入力センサの製造方法。
【請求項３】
現像後、前記中間樹脂層に含まれる前記紫外線吸収剤を失活させる工程と、
前記紫外線吸収剤を失活させた後、両面側の前記中間樹脂層を全面露光する工程と、
をさらに備える請求項２に記載のタッチ入力センサの製造方法。
【請求項４】
前記紫外線吸収剤が、前記透明導電膜側から前記透明基板側に向かうに従って高濃度となる濃度勾配を有する状態で前記感光性樹脂層中に分散保持されている請求項２又は３に記載のタッチ入力センサの製造方法。
【請求項５】
前記中間樹脂層において、感光性樹脂層と紫外線吸収剤層とが、前記感光性樹脂層が前記透明導電膜側に位置する状態で積層されている請求項１に記載のタッチ入力センサの製造方法。
【請求項６】
前記中間樹脂層が、前記紫外線吸収剤層に対して前記感光性樹脂層とは反対側に積層された非感光性樹脂層をさらに含む請求項５に記載のタッチ入力センサの製造方法。
【請求項７】
剥離性を有する基材フィルムと、
前記基材フィルム上に配置された透明導電膜と、
前記透明導電膜上に配置された、感光性樹脂と紫外線吸収剤とを含むＵＶカット機能付感光層と、
を備える感光性導電フィルム。
【発明の詳細な説明】
【技術分野】
【０００１】
本発明は、タッチ入力センサの製造方法、及び当該製造方法に使用可能な感光性導電フィルムに関する。
【背景技術】
【０００２】
例えば多機能携帯電話（スマートフォン）や携帯ゲーム機等の電子機器に備えられる入力デバイスとして、タッチパネル等のタッチ入力センサが用いられている。タッチ入力センサは、例えば特開２０１３−１５６６５５号公報（特許文献１）に開示されているように、透明基板〔基板２０〕と、Ｘ座標検出用及びＹ座標検出用の透明電極〔透明電極１０３，１０４〕とを備える。特許文献１のタッチ入力センサは、基板上に感光性樹脂層と導電膜とを積層し、その積層体をパターン露光した後、未硬化部分を酸素存在下で露光し、その後、現像することによって導電パターンからなる透明電極を形成するという手順を経て製造される。
【０００３】
特許文献１の製造方法では、上述した「積層→パターン露光→酸素存在下露光→現像」の各工程を経てＸ座標検出用の透明電極を形成し、その後、同様の工程を経てＹ座標検出用の透明電極を形成する（特許文献１の段落０１２５を参照）。しかし、このような製造方法では、露光工程が計４回必要となって工程数が増大するとともに、パターン露光後に基材フィルムを除去する必要があるために装置に対する制約が多いなど、実用性に欠ける面があった。また、Ｘ座標検出用の透明電極とＹ座標検出用の透明電極との位置合わせが容易ではない場合があった。
【先行技術文献】
【特許文献】
【０００４】
【特許文献１】特開２０１３−１５６６５５号公報
【発明の概要】
【発明が解決しようとする課題】
【０００５】
簡易に製造可能であり、かつ、一対の透明電極どうしの位置合わせを容易に行うことができるタッチ入力センサの製造方法が求められる。また、そのような製造方法に適した感光性導電フィルムが求められる。
【課題を解決するための手段】
【０００６】
本開示に係るタッチ入力センサの製造方法は、
透明基板の両面に、それぞれ前記透明基板側から、感光性樹脂と紫外線吸収剤とを含む中間樹脂層、及び透明導電膜の順に積層する工程と、
両面側の前記中間樹脂層及び前記透明導電膜をそれぞれ覆うようにマスクを配置して、両面側から紫外線によるパターン露光を行う工程と、
現像して、前記透明基板の両面に前記透明導電膜からなる透明電極を形成する工程と、を備える。
【０００７】
本開示に係る感光性導電フィルムは、
基材フィルムと、
前記基材フィルム上に配置された透明導電膜と、
前記透明導電膜上に配置された、感光性樹脂と紫外線吸収剤とを含むＵＶカット機能付感光層と、
を備える。
【０００８】
本開示に係る技術のさらなる特徴と利点は、以下の説明によってより明確になるであろう。
【図面の簡単な説明】
【０００９】
【図１】実施形態に係るタッチ入力センサの平面図
【図２】図１のＩＩ−ＩＩ断面図
【図３】感光性導電フィルムを示す断面図
【図４】被着工程を示す模式図
【図５】パターン露光工程を示す模式図
【図６】パターン露光工程の完了時の状態を示す模式図
【図７】現像工程を示す模式図
【図８】図７における部分拡大図
【図９】全面露光工程を示す模式図
【図１０】全面露光工程の完了時の状態を示す模式図
【図１１】感光性導電フィルム及びタッチ入力センサの別態様を示す断面図
【図１２】感光性導電フィルムの別態様を示す断面図
【図１３】感光性導電フィルムの別態様を示す断面図
【発明を実施するための形態】
【００１０】
以下、本発明の実施形態について説明する。但し、以下に記載する実施形態によって、本発明の範囲が限定される訳ではない。また、以下の説明において、作用機序の説明には一部推定が含まれており、その正否によって本発明の範囲が限定されることはないものとする。
【００１１】
なお、以下の説明で参照する図面においては、図示の容易化や理解の容易化等の観点から、縮尺や上下左右の寸法比率等を実際の製品とは異ならせて表示している場合がある。複数個存在することが予定される各部材に関して、以下の説明で言及されるとともに対応する図面に示される具体的な数は、単なる例示であって、それ以外の個数とすることも当然に可能である。
【００１２】
本実施形態に係るタッチ入力センサ１は、例えば多機能携帯電話（スマートフォン）や携帯ゲーム機等の電子機器に備えられ、入力デバイスとして機能するタッチパネル等である。これらの電子機器において、タッチ入力センサ１は、例えば液晶表示パネルや有機ＥＬ（electroluminescence）表示パネル等からなる表示装置と重ねて用いられる。以下、本実施形態に係るタッチ入力センサ１の製造方法について、詳細に説明する。
【００１３】
図１及び図２に示すように、タッチ入力センサ１は、透明基板１０と、担持層１２，２２と、透明電極１４，２４と、引き回し配線１６，２６とを備えている。第一担持層１２、第一透明電極１４、及び第一引き回し配線１６が透明基板１０の一方の面（第一面１０ａ）側に設けられ、第二担持層２２、第二透明電極２４、及び第二引き回し配線２６が透明基板１０の他方の面（第二面１０ｂ）側に設けられている。透明基板１０の第一面１０ａ側において、透明基板１０の側から第一担持層１２及び第一透明電極１４の順に積層され、透明基板１０の第二面１０ｂ側において、透明基板１０の側から第二担持層２２及び第二透明電極２４の順に積層されている。本実施形態のタッチ入力センサ１は、１枚の透明基板１０の両面に透明電極１４，２４を備えることで、センサ全体としての薄型化が図られている。
【００１４】
透明基板１０は、第一透明電極１４及び第二透明電極２４を設けるためのベースとなる部材である。透明基板１０は、透明性に加え、柔軟性及び絶縁性等に優れた材料を用いて構成されていることが好ましい。透明基板１０は、例えばポリエチレンテレフタレートやアクリル系樹脂等の汎用樹脂、ポリアセタール系樹脂やポリカーボネート系樹脂等の汎用エンジニアリング樹脂、ポリスルホン系樹脂やポリフェニレンサルファイド系樹脂等のスーパーエンジニアリング樹脂等で構成することができる。本実施形態では、ポリエチレンテレフタレートフィルムにより透明基板１０が構成されている。なお、透明基板１０は、ガラス基板等で構成されても良い。透明基板１０の厚みは、例えば２５μｍ〜１００μｍとすることができる。
【００１５】
第一担持層１２は、透明基板１０の第一面１０ａに配置されている。第一担持層１２上には、複数（本例では５つ）の第一透明電極１４が配置されている。すなわち、透明基板１０の第一面１０ａに、第一担持層１２を介して複数の第一透明電極１４が設けられている。図１に示すように、複数の第一透明電極１４は、それぞれ、Ｘ軸方向に沿って並んで配置された複数（本例では５つ）の菱形電極をＸ軸方向に互いに接続して形成されている。第一透明電極１４のそれぞれは、全体として、Ｘ軸方向に沿って延在するように形成されている。複数の第一透明電極１４は、Ｙ軸方向に並ぶように互いに平行に配置されている。
【００１６】
第二担持層２２は、透明基板１０の第二面１０ｂに配置されている。第二担持層２２上には、複数（本例では４つ）の第二透明電極２４が配置されている。すなわち、透明基板１０の第二面１０ｂに、第二担持層２２を介して複数の第二透明電極２４が設けられている。図１に示すように、複数の第二透明電極２４は、それぞれ、Ｘ軸方向に交差（本例では直交）するＹ軸方向に沿って並んで配置された複数（本例では６つ）の菱形電極をＹ軸方向に互いに接続して形成されている。第二透明電極２４のそれぞれは、全体として、Ｙ軸方向に沿って延在するように形成されている。複数の第二透明電極２４は、Ｘ軸方向に並ぶように互いに平行に配置されている。
【００１７】
第一透明電極１４を構成する複数の菱形電極と、第二透明電極２４を構成する複数の菱形電極とは、平面視（タッチ入力センサ１の延在面に直交する方向に見た状態）で相補的な位置関係で配置されている。つまり、第一透明電極１４を構成する菱形電極の非配置領域に第二透明電極２４を構成する菱形電極が配置され、第二透明電極２４を構成する菱形電極の非配置領域に第一透明電極１４を構成する菱形電極が配置されている。そして、複数の第一透明電極１４と複数の第二透明電極２４とは、これらの全体で、表示装置の表示領域を概ね全面的に覆うように配置されている。
【００１８】
第一担持層１２及び第二担持層２２は、透明性及び電気的絶縁性に優れた樹脂材料を用いて構成されていることが好ましい。また、第一担持層１２及び第二担持層２２は、適度な硬度及び機械的強度を有する樹脂材料を用いて構成されていることが好ましい。本実施形態では、担持層１２，２２は、後述する感光性樹脂（光硬化性樹脂）を主体として構成されている。
【００１９】
第一透明電極１４及び第二透明電極２４は、透明性に加え導電性に優れた材料を用いて構成されている。透明電極１４，２４は、例えば酸化スズ、酸化インジウム、酸化亜鉛、及びＩＴＯ（Indium Tin Oxide）等の金属酸化物、金、銀、銅、ニッケル、及びそれらの合金等からなる金属ナノワイヤー、カーボンナノチューブ、グラフェン、金属メッシュ、導電性ポリマー等で構成されている。透明電極１４，２４は、これらの材料を用いて構成された透明導電層である。本実施形態では、銀ナノワイヤーにより透明電極１４，２４が構成されている。
【００２０】
第一透明電極１４及び第二透明電極２４は、被検知物（ユーザーの指やスタイラス等の導体）の近接／離間に応じて静電容量が変化する。なお、「静電容量」とは、自己容量（self capacitance）と相互容量（mutual capacitance）との双方を含む概念である。つまり、第一透明電極１４は、被検知物の近接／離間に応じて、自己容量又は第二透明電極２４との間の相互容量が変化し、第二透明電極２４は、被検知物の近接／離間に応じて、自己容量又は第一透明電極１４との間の相互容量が変化する。
【００２１】
第一透明電極１４のそれぞれは、第一引き回し配線１６に接続されている。第二透明電極２４のそれぞれは、第二引き回し配線２６に接続されている。引き回し配線１６，２６は、金、銀、銅、及びニッケル等の金属、又はカーボン等の導電ペーストで構成されている。引き回し配線１６，２６における透明電極１４，２４とは反対側の端部には、接続端子２８が設けられている。透明電極１４，２４は、引き回し配線１６，２６及び接続端子２８を介して制御部（図示せず）に接続されている。透明電極１４，２４に生じる静電容量の変化に応じて流れる電流を制御部で検知することで、ユーザーによるタッチ操作及びタッチ位置を検出することができる。
【００２２】
タッチ入力センサ１の製造方法は、準備工程、被着工程、パターン露光工程、現像工程、及び全面露光工程を備える。また、本実施形態では失活処理工程及び配線形成工程をさらに備える。準備工程、被着工程、パターン露光工程、現像工程、失活処理工程、全面露光工程、及び配線形成工程は、記載の順に実行される。
【００２３】
準備工程は、本実施形態の製造方法に用いる中間材料を準備する工程である。準備工程では、透明基板１０と、担持層１２，２２及び透明電極１４，２４の基となる感光性導電フィルム３とが準備される。透明基板１０は、例えばその両面に保護フィルムがそれぞれ貼付された状態で提供される（図示せず）。透明基板１０は、例えば４５０ｎｍ〜６５０ｎｍの波長域での最小光透過率が８０％以上（好ましくは８５％以上）であるものを用いることが好ましい。このようにすれば、タッチパネルディスプレイ等での高輝度化が容易となる。
【００２４】
図３に示すように、感光性導電フィルム３は、基材フィルム３１と透明導電膜３２と中間樹脂層３３との積層体として構成される。感光性導電フィルム３は、基材フィルム３１と、基材フィルム３１上に配置された透明導電膜３２と、透明導電膜３２上に配置された中間樹脂層３３とを備えている。また、本実施形態では、中間樹脂層３３上にセパレータ３９が配置されている。
【００２５】
基材フィルム３１は、重合体フィルムを用いて構成することができる。基材フィルム３１は、耐熱性及び耐溶剤性に優れた材料を用いて構成されている。基材フィルム３１は、例えばポリエチレンテレフタレートフィルム、ポリエチレンフィルム、ポリプロピレンフィルム、ポリカーボネートフィルム等で構成することができる。本実施形態では、ポリエチレンテレフタレートフィルムにより、基材フィルム３１が構成されている。基材フィルム３１の厚みは、例えば５μｍ〜３００μｍとすることができる。
【００２６】
透明導電膜３２は、第一透明電極１４及び第二透明電極２４の基となる層である。透明導電膜３２は、例えば酸化スズ、酸化インジウム、酸化亜鉛、及びＩＴＯ等の金属酸化物、金、銀、銅、ニッケル、及びそれらの合金等からなる金属ナノワイヤー、カーボンナノチューブ、グラフェン、金属メッシュ、導電性ポリマー等からなる透明導電層とすることができる。本実施形態では、透明導電膜３２として銀ナノワイヤーの薄膜層が用いられている。銀ナノワイヤーは、ナノメートル単位（例えば数ｎｍ〜数百ｎｍ）の外径を有する微小な銀線である。銀ナノワイヤーは非常に微細であって人間の目では視認できないため、銀ナノワイヤーの薄膜層は透明性に優れたものとなる。透明導電膜３２は、平面分布を呈する銀ナノワイヤーどうしが接触してなる網目構造を有するように構成されても良い。このようにすれば、透明導電膜３２の厚みを極力抑えつつ、面方向の導電性を等方的とすることができる。また、可撓性を有するタッチ入力センサ１の製造にも対応できて好適である。透明導電膜３２は、例えば真空蒸着法、スパッタリング法、イオンプレーティング法、ＣＶＤ法、及びロールコーター法等により、基材フィルム３１上に全面的に形成することができる。透明導電膜３２の厚みは、例えば５ｎｍ〜５０００ｎｍとすることができる。
【００２７】
中間樹脂層３３は、第一担持層１２及び第二担持層２２の基となる層である。本実施形態では、中間樹脂層３３は、感光性樹脂と紫外線吸収剤とを含む樹脂層として構成されている。
【００２８】
感光性樹脂は、活性光線（具体的には、紫外線）によって化学的変化又は構造的変化を生じる性質を有するものであれば、ネガ型及びポジ型のいずれのタイプを用いても良い。本実施形態では、ネガ型の感光性樹脂を用いる。ネガ型の感光性樹脂を構成する感光性樹脂組成物は、例えばバインダー樹脂と、エチレン性不飽和結合を有する光重合性化合物と、光重合開始剤とを含有する。
【００２９】
バインダー樹脂としては、例えばアクリル樹脂、スチレン樹脂、エポキシ樹脂、アミド樹脂、アミドエポキシ樹脂、アルキド樹脂、フェノール樹脂、エステル樹脂、ウレタン樹脂、エポキシ樹脂と（メタ）アクリル酸の反応で得られるエポキシアクリレート樹脂、エポキシアクリレート樹脂と酸無水物の反応で得られる酸変性エポキシアクリレート樹脂等を用いることができる。これらは、それぞれ単独で用いても良いし、２種以上を組み合わせて用いても良い。
【００３０】
エチレン性不飽和結合を有する光重合性化合物としては、例えば多価アルコールにα，β−不飽和カルボン酸を反応させて得られる化合物、グリシジル基含有化合物にα，β−不飽和カルボン酸を反応させて得られる化合物、ウレタン結合を有する（メタ）アクリレート化合物等のウレタンモノマー、フタル酸系化合物、（メタ）アクリル酸アルキルエステル等を用いることができる。これらは、それぞれ単独で用いても良いし、２種以上を組み合わせて用いても良い。
【００３１】
光重合開始剤としては、例えば芳香族ケトン、ベンゾインエーテル化合物、ベンゾイン化合物、オキシムエステル化合物、ベンジル誘導体、２，４，５−トリアリールイミダゾール二量体、アクリジン誘導体、Ｎ−フェニルグリシン、Ｎ−フェニルグリシン誘導体、クマリン系化合物、オキサゾール系化合物等のラジカル重合開始剤等を用いることができる。これらは、それぞれ単独で用いても良いし、２種以上を組み合わせて用いても良い。
【００３２】
感光性樹脂組成物は、必要に応じて、各種の添加剤をさらに含有しても良い。添加剤としては、可塑剤、充填剤、消泡剤、難燃剤、安定剤、密着性付与剤、レベリング剤、剥離促進剤、酸化防止剤、香料、イメージング剤、熱架橋剤等を例示することができる。これらは、それぞれ単独で含有されても良いし、２種以上が組み合わせて含有されても良い。
【００３３】
紫外線吸収剤は、活性光線である紫外線を吸収して熱や赤外線等にエネルギー変換して放出させるものであれば、あらゆる化合物を用いることができる。透明性の観点からは、有機系の紫外線吸収剤が好ましい。このような紫外線吸収剤としては、例えばベンゾトリアゾール系紫外線吸収剤、ベンゾフェノン系紫外線吸収剤、ベンゾエート系紫外線吸収剤、サリチル酸系紫外線吸収剤、トリアジン系紫外線吸収剤、及びシアノアクリレート系紫外線吸収剤を用いることができる。これらは、それぞれ単独で用いても良いし、２種以上を組み合わせて用いても良い。また、これらの２種以上の基本構造を１分子中に組み合わせて含むものを用いても良い。
【００３４】
紫外線吸収剤の添加量は、特に限定される訳ではないが、重量基準で、中間樹脂層３３の全体に対して例えば１％以上１０％以下とすることができる。紫外線吸収剤の添加量が１％未満の場合、十分なＵＶカット機能が発揮されない可能性がある。一方、紫外線吸収剤の添加量が１０％を超えると、タッチ入力センサ１の透明性が低下する場合がある。より好ましい紫外線吸収剤の添加量は、例えば３％以上７％以下である。
【００３５】
中間樹脂層３３において、感光性樹脂と紫外線吸収剤とは、分離状態で存在しても良いし、混合状態で存在しても良い。本実施形態では、中間樹脂層３３において、感光性樹脂組成物で構成される感光性樹脂層３４中に、紫外線吸収剤が分散保持されている。言い換えれば、本実施形態では、バインダー樹脂と、エチレン性不飽和結合を有する光重合性化合物と、光重合開始剤と、紫外線吸収剤とを含有する、ＵＶカット機能を有する感光性樹脂組成物によって中間樹脂層３３が構成されている。本実施形態では、紫外線吸収剤は、感光性樹脂層３４中におよそ均一に分散されている。本実施形態では、中間樹脂層３３が「ＵＶカット機能付感光層」に相当する。
【００３６】
中間樹脂層３３は、例えば溶剤に溶解した上記の樹脂組成物の溶液を基材フィルム３１上に形成された透明導電膜３２上に塗布した後、乾燥することによって形成することができる。溶剤としては、例えばメタノール、エタノール、アセトン、メチルエチルケトン、トルエン、Ｎ，Ｎ−ジメチルホルムアミド、プロピレングリコールモノメチルエーテル等を用いることができる。これらは、それぞれ単独で用いても良いし、２種以上の混合溶剤であっても良い。また、塗布は、例えばロールコート法、コンマコート法、グラビアコート法、エアーナイフコート法、ダイコート法、バーコート法、スプレーコート法等の公知の方法で行うことができる。乾燥は、例えば熱風対流式乾燥機等を用いて行うことができる。中間樹脂層３３の厚みは、乾燥後において、例えば１μｍ〜２００μｍとすることができる。
【００３７】
セパレータ３９は、感光性導電フィルム３の取り扱いの容易化を図るために設けられている。セパレータ３９は、上述した基材フィルム３１と同様の材料（例えばポリエチレンテレフタレート等）を用いて構成することができる。
【００３８】
基材フィルム３１と透明導電膜３２と中間樹脂層３３との積層体を主体として構成される感光性導電フィルム３は、ドライフィルムレジスト（Dry Film Resist；ＤＦＲ）とも称される。感光性導電フィルム３は、例えば４５０ｎｍ〜６５０ｎｍの波長域での最小光透過率が８０％以上（好ましくは８５％以上）であるものを用いることが好ましい。このようにすれば、タッチパネルディスプレイ等での高輝度化が容易となる。本実施形態では、このような感光性導電フィルム３が、１枚の透明基板１０に対して、２枚準備される。
【００３９】
被着工程は、準備工程で準備された１枚の透明基板１０と２枚の感光性導電フィルム３とを被着させる工程である。被着工程では、両面側の保護フィルムを剥離して、透明基板１０の第一面１０ａ及び第二面１０ｂを露出させる。また、２枚の感光性導電フィルム３のそれぞれからセパレータ３９を剥離して、中間樹脂層３３を露出させる。そして、図４に示すように、２枚の感光性導電フィルム３のそれぞれを、露出した中間樹脂層３３側から透明基板１０の露出面に被着させる。その際、例えば８０℃〜１２０℃の温度に加熱しながら圧着（熱ラミネート）することにより、２枚の感光性導電フィルム３を透明基板１０の両面に被着させる。このようにして、透明基板１０の両面に、それぞれ透明基板１０側から、感光性樹脂と紫外線吸収剤とを含む中間樹脂層３３、透明導電膜３２、及び基材フィルム３１の順に積層する。なお、積層方向両端の２枚の基材フィルム３１は、剥離されても良い。
【００４０】
パターン露光工程は、被着工程後の積層体に対して第１の露光を行う工程である。図５に示すように、パターン露光工程では、両面側の中間樹脂層３３及び透明導電膜３２をそれぞれ覆うようにマスク４１，４２を配置して両面側からパターン露光する。すなわち、第一面１０ａ側の基材フィルム３１の外側に第一マスク（第一フォトマスク）４１を配置し、かつ、第二面１０ｂ側の基材フィルム３１の外側に第二マスク（第二フォトマスク）４２を配置した状態で、両面側から露光する。第一マスク４１は、第一透明電極１４の平面視での全体形状（図１を参照）に対応する第一透明電極形成パターンを有している。第二マスク４２は、第二透明電極２４の平面視での全体形状に対応する第二透明電極形成パターンを有している。本実施形態のように中間樹脂層３３に含まれる感光性樹脂層３４がネガ型である場合には、第一透明電極形成パターン及び第二透明電極形成パターンは、対応するマスク４１，４２に形成された窓部（透光部）である。
【００４１】
第一マスク４１及び第二マスク４２の位置合わせは、露光装置に設けられるマスクアライメント機構（位置センサ及び位置調整機構を含む）を用いて容易かつ高精度に行うことができる。具体的には、例えば第一マスク４１及び第二マスク４２のそれぞれに予めアライメントマークを形成しておき、例えばカメラ等の位置センサで両マスク４１，４２のアライメントマークどうしの相対位置を検出して相対位置情報を得る。そして、得られた相対位置情報に基づいて、位置調整機構が、対をなすアライメントマークどうしが中心を合わせて重なるように両マスク４１，４２を相対移動させることで、第一マスク４１及び第二マスク４２の位置決めを行うと良い。
【００４２】
被着工程後の積層体に対して第一マスク４１及び第二マスク４２を位置決めして固定した後、活性光線としての紫外線Ｌを両面側から照射する。紫外線Ｌは、紫外線照射ランプを用いて照射することができる。紫外線Ｌは、両面同時に照射しても良いし、片面ずつ順次照射しても良い。本実施形態では、サイクルタイムの短縮のため、両面同時露光としている。紫外線Ｌの露光強度及び露光時間は、感光性樹脂層３４中に保持された紫外線吸収剤による影響等も考慮した上で、感光性樹脂層３４の感光特性に応じて適宜設定することができる。本実施形態では、基材フィルム３１を剥離せずに透明導電膜３２の表面に配置したままで露光するので、パターン露光工程を空気中で行うことができる。基材フィルム３１が既に剥離されている場合には、パターン露光工程は、非酸素存在下（例えば不活性ガスの存在下又は真空中）で行うと良い。
【００４３】
パターン露光工程では、透明基板１０の第一面１０ａ側において、第一マスク４１を通して紫外線Ｌを画像状に照射することで、第一透明電極１４の平面視形状に応じたパターンで中間樹脂層３３（感光性樹脂層３４）を露光する。これにより、感光性樹脂層３４のうち紫外線Ｌに露光した部分を、第一透明電極１４の平面視形状に対応させて硬化させるとともに、それ以外の部分を未硬化のまま維持させる（図６を参照）。なお、図６〜図１０においては、感光性樹脂層３４のうちの硬化済みの部分（硬化部分３４Ｃ）と未だ硬化していない部分（未硬化部分３４Ｕ）とを、互いに異なるハッチングで表示している。このとき、本実施形態では中間樹脂層３３が感光性樹脂と紫外線吸収剤とを含んでいるので、第一面１０ａ側から照射される紫外線Ｌは、第一面１０ａ側の感光性樹脂層３４を硬化させる一方で、紫外線吸収剤で吸収されて透明基板１０の第二面１０ｂ側まではほとんど透過しない。よって、第一面１０ａ側から照射される紫外線Ｌの作用によって、第二面１０ｂ側に設けられた中間樹脂層３３が硬化することはほとんどない。
【００４４】
また、透明基板１０の第二面１０ｂ側において、第二マスク４２を通して紫外線Ｌを画像状に照射することで、第二透明電極２４の平面視形状に応じたパターンで中間樹脂層３３（感光性樹脂層３４）を露光する。これにより、感光性樹脂層３４のうち紫外線Ｌに露光した部分を、第二透明電極２４の平面視形状に対応させて硬化させるとともに、それ以外の部分を未硬化のまま維持させる。このとき、第二面１０ｂ側から照射される紫外線Ｌは、第二面１０ｂ側の感光性樹脂層３４を硬化させる一方で、紫外線吸収剤で吸収されて透明基板１０の第一面１０ａ側まではほとんど透過しない。よって、第二面１０ｂ側から照射される紫外線Ｌの作用によって、第一面１０ａ側に設けられた中間樹脂層３３が硬化することはほとんどない。
【００４５】
このように、第一透明電極１４のパターニングと第二透明電極２４のパターニングとが相互に影響し合うことを抑制することができる。よって、両面同時露光を行いつつ露光干渉を抑制して、第一透明電極１４のパターニングと第二透明電極２４のパターニングとを同時にかつ適切に行うことができる。パターン化された第一透明電極１４とパターン化された第二透明電極２４との位置精度も、第一マスク４１及び第二マスク４２の位置決め精度に応じて高精度なものとなる。なお、パターン露光工程では、感光性樹脂層３４は、透明基板１０上に当該感光性樹脂層３４を介して透明導電膜３２を担持することができる程度に硬化されれば良く、完全には硬化されなくても良い。このため、中間樹脂層３３を構成する感光性樹脂層３４中に紫外線吸収剤が分散保持されていても、必要とされる硬度は得られるため、特に問題はない。
【００４６】
現像工程は、パターン露光工程後の積層体に対して現像処理を行う工程である。図７に示すように、現像工程では、中間樹脂層３３（感光性樹脂層３４）を現像して、透明基板１０の両面に、それぞれパターン化された透明導電膜３２からなる第一透明電極１４と第二透明電極２４とを形成する（図１０も参照）。現像工程は、両側の基材フィルム３１を剥離した状態で、例えば現像液を用いたウェット現像により行うことができる。具体的には、まず、感光性樹脂層３４の化学的性質に応じた現像液を準備する。例えばアルカリ現像を行う場合には、現像液として炭酸ナトリウム溶液、水酸化カリウム溶液、アルカリエチルアミノエタノール、水酸化テトラメチルアンモニウム、ジエタノールアミン等を用いることができる。また、例えば有機現像を行う場合には、現像液としてＮ−メチル−２−ピロリドン、Ｎ−アセチル−２−ピロリドン、Ｎ，Ｎ−ジメチルアセトアミド等の極性溶媒を用いることができる。これらの極性溶媒は、単独で用いても良いし、水、メタノール、エタノール等のその他の溶媒と組み合わせて用いても良い。また、現像は、例えばスプレー法、ディップ法、パドル法等によって行うこともできる。
【００４７】
現像工程では、パターン露光工程の完了後もなお未硬化のまま残っている感光性樹脂層３４の未硬化部分３４Ｕが少なくとも部分的に除去される。本実施形態では、感光性樹脂層３４の未硬化部分３４Ｕのうち、少なくとも表層部分（透明導電膜３２側の部分）が除去される。ここで、本発明者らの検討によれば、感光性樹脂層３４の未硬化部分３４Ｕのうちの深層部分（透明基板１０側の部分）は、十分には除去されない可能性があることが判明した。本実施形態では中間樹脂層３３を構成する感光性樹脂層３４中に紫外線吸収剤が分散保持されているので、パターン露光工程において、分散保持された紫外線吸収剤により、表層側に比べて深層側における感光性樹脂層３４の硬化が不十分となりやすい。特に、感光性樹脂層３４における露光領域の辺縁部では、マスク４１，４２の遮光部によって覆われた領域側からの露光の重なりが全くないため、露光領域の中央部に比べて深層側の硬化が不十分となりやすい。その結果、例えば図８に誇張して示すように、感光性樹脂層３４の硬化部分３４Ｃが逆錘台状となりやすく、感光性樹脂層３４の硬化部分３４Ｃと未硬化部分３４Ｕとの関係がアンダーカット形状となりやすい。このため、現像工程において、感光性樹脂層３４の未硬化部分３４Ｕのうち深層部分が除去されにくく、残存してしまう可能性がある。
【００４８】
上記のように残存する場合のある未硬化部分３４Ｕを、後工程で完全硬化させるため、本実施形態の製造方法は、失活処理工程を追加的に備えている。失活処理工程は、中間樹脂層３３に含まれる紫外線吸収剤を失活させる工程である。本実施形態では、加熱処理によって失活処理工程を実行する。失活処理工程では、現像工程後の積層体の全体を、熱ラミネート温度よりも高い温度に加熱する。例えば、紫外線吸収剤の熱分解開始温度（例えば２５０℃〜３５０℃）以上に加熱することで、中間樹脂層３３に含まれる（本実施形態では感光性樹脂層３４中に分散保持された）紫外線吸収剤を熱失活させる。このようにして、紫外線吸収剤のＵＶカット機能を不活化させる。
【００４９】
全面露光工程は、失活処理工程後の積層体に対して第２の露光（ポスト露光）を行う工程である。図９に示すように、全面露光工程では、マスクを使用することなく、両面側の中間樹脂層３３に対して全面的に紫外線Ｌを照射する。失活処理工程において既に紫外線吸収剤のＵＶカット機能が不活化されているので、全面露光工程では、紫外線Ｌは、両面側から照射しても良いし、片面側だけから照射しても良い。本実施形態では、均一性の向上及びサイクルタイムの短縮のため、両面同時露光としている。この全面露光工程により、現像工程において残存する場合のある未硬化部分３４Ｕも含めて、感光性樹脂層３４の全体を完全に硬化させる。硬化した感光性樹脂層３４は、担持層１２，２２となる（図１０を参照）。紫外線Ｌの露光強度及び露光時間は、最終製品において担持層１２，２２に要求される硬度等も考慮した上で、感光性樹脂層３４の感光特性に応じて適宜設定することができる。
【００５０】
本実施形態の製造方法では、現像工程において残存する場合のある未硬化部分３４Ｕ（紫外線吸収剤を含む）を積極的に利用し、当該部分を失活処理工程で全面的に硬化可能として、その後の全面露光工程で透明電極１４，２４と非電極部分との段差を小さく抑えている。よって、簡易な方法で、第一透明電極１４及び第二透明電極２４のパターン見えが生じるのを抑制することができる。従って、タッチ入力センサ１を介した表示装置の視認性が良好に維持される。また、タッチ入力センサ１に保護層等の他の機能層が設けられる場合において、タッチ入力センサ１と機能層とを貼り合わせる際に気泡が混入する（泡かみが生じる）のを抑制することができる。
【００５１】
配線形成工程は、透明電極１４，２４のそれぞれから延びる引き回し配線１６，２６を形成する工程である。配線形成工程では、例えば金、銀、銅、及びニッケル等の金属、又はカーボン等の導電ペーストを用いて、印刷法によって引き回し配線１６，２６を形成する。印刷法としては、例えばスクリーン印刷法やインクジェット印刷法等が採用できる。スクリーン印刷法による場合は、導電ペーストの塗布後、レーザ照射等によってパターニングを行うと良い。インクジェット印刷法による場合は、高い位置精度での印刷が可能なので、引き回し配線１６，２６を直接形成することができる。配線形成工程では、形成された引き回し配線１６，２６を被覆して保護する配線保護層をさらに形成しても良い。
【００５２】
〔その他の実施形態〕
タッチ入力センサの製造方法及び感光性導電フィルムのその他の実施形態について説明する。なお、以下のそれぞれの実施形態で開示される構成は、矛盾が生じない限り、他の実施形態で開示される構成と組み合わせて適用することも可能である。
【００５３】
（１）上記の実施形態では、中間樹脂層３３において、感光性樹脂と紫外線吸収剤とが混合状態で存在する構成を例として説明した。しかし、本発明の実施形態はこれに限定されない。例えば図１１に示すように、中間樹脂層３３において、感光性樹脂と紫外線吸収剤とが分離状態で存在しても良い。図示の例では、中間樹脂層３３において、感光性樹脂層３４と紫外線吸収剤層３７とが、感光性樹脂層３４が透明導電膜３２側に位置する状態で積層されている。このような構成の感光性導電フィルム３を用いても、両面同時露光によって、第一透明電極１４のパターニングと第二透明電極２４のパターニングとを同時にかつ適切に行うことができる。なお、図１１の例のように、紫外線吸収剤層３７が、非感光性紫外線吸収剤層３６であっても良い。非感光性紫外線吸収剤層３６は、非感光性樹脂層中に紫外線吸収剤が分散した状態で構成される。非感光性樹脂としては、例えば熱可塑性樹脂及び感圧接着剤（Pressure Sensitive Adhesive；ＰＳＡ）等が例示される。取り扱いの容易性を考慮すれば感光性導電フィルム３は一定の厚みを有していることが必要であるところ、紫外線吸収剤層３７を分離状態で備えることで、その厚みの分だけ感光性樹脂層３４の厚みを薄くすることができる。その結果、パターン化される透明電極１４，２４の低段差化を図ることができる。なお、非感光性紫外線吸収剤層３６として、熱可塑性樹脂層中に紫外線吸収剤が分散したものを用いれば、被着工程における熱ラミネート時に、透明基板１０に対して紫外線吸収剤層３７を接着させやすいという利点がある。
【００５４】
熱可塑性樹脂層としては、例えばエチレン−酢酸ビニル共重合体系樹脂、ポリアミド系樹脂、ポリウレタン系樹脂、ポリエステル系樹脂、オレフィン系樹脂、及びアクリル系樹脂を用いることができる。これらは、それぞれ単独で用いても良いし、２種以上を組み合わせて用いても良い。感圧接着剤としては、例えばアクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤、及びポリエーテル系粘着剤等を用いることができる。これらは、それぞれ単独で用いても良いし、２種以上を組み合わせて用いても良い。
【００５５】
（２）或いは、上記（１）の例において、例えば図１２に示すように、中間樹脂層３３が、紫外線吸収剤層３７とは別に、感光性樹脂層３４に対して透明導電膜３２とは反対側に積層された非感光性樹脂層３８をさらに含んでも良い。この場合、透明基板１０と非感光性樹脂層３８との接着性を考慮すれば、感光性樹脂層３４、紫外線吸収剤層３７、及び非感光性樹脂層３８の順に積層されることが好ましい。非感光性樹脂層３８は、例えばガラス転移温度又は融点以上に加熱することによって軟化し、かつ、ガラス転移温度又は融点未満に冷却することによって硬化する特性を有する樹脂層（熱可塑性樹脂層）であると好適である。この場合、被着工程における熱ラミネート時に、透明基板１０に対して非感光性樹脂層３８を接着させやすいという利点がある。また、取り扱いの容易性を考慮すれば感光性導電フィルム３は一定の厚みを有していることが必要であるところ、紫外線吸収剤層３７及び非感光性樹脂層３８を分離状態で備えることで、それらの厚みの分だけ感光性樹脂層３４の厚みを薄くすることができる。その結果、パターン化される透明電極１４，２４の低段差化を図ることができる。また、非感光性樹脂層３８は、例えば加圧時に硬化して粘着力を発揮する特性を有する感圧接着剤からなる層であっても良い。この場合にも、透明基板１０に対する接着性を確保できるとともに、感光性樹脂層３４の薄層化により、パターン化される透明電極１４，２４の低段差化を図ることができる。
【００５６】
（３）上記の実施形態では、中間樹脂層３３において、感光性樹脂層３４中に紫外線吸収剤がおよそ均一に分散保持されている構成を例として説明した。しかし、本発明の実施形態はこれに限定されない。例えば図１３に示すように、中間樹脂層３３において、紫外線吸収剤（図中、小ドットとして模式的に示されている）が濃度勾配を有する状態で感光性樹脂層３４中に分散保持されていても良い。図示の例のように、感光性導電フィルム３において、紫外線吸収剤は、透明導電膜３２側からセパレータ３９側（被着工程後における透明基板１０側）に向かうに従って高濃度となる状態で分散保持されると良い。
【００５７】
（４）上記の実施形態では、ネガ型の感光性樹脂を含む感光性導電フィルム３を用いる例について説明した。しかし、本発明の実施形態はこれに限定されない。例えば、ポジ型の感光性樹脂を含む感光性導電フィルム３を用いても良い。この場合、第一マスク４１及び第二マスク４２は、ポジ型の感光特性に応じた電極形成パターンを有するように形成される。
【００５８】
（５）上記の実施形態では、透明基板１０の両面にそれぞれ中間樹脂層３３及び透明導電膜３２を積層するのに、２枚の感光性導電フィルム３を用いて被着させる構成を例として説明した。しかし、本発明の実施形態はこれに限定されない。例えば、透明基板１０の両面に、透明導電膜３２の構成材料及び中間樹脂層３３の構成材料を、それぞれ液相で積層しても良い。
【００５９】
（６）上記の実施形態において、紫外線吸収機能を有する透明基板１０を用いても良い。このようにすれば、中間樹脂層３３に含まれる紫外線吸収剤との協働により、露光干渉をより確実に抑制することができる。ＵＶカット機能付き透明基板１０は、透明基板１０を構成する材料中に、上記の実施形態で説明した紫外線吸収剤を含有させたものを用いることができる。
【００６０】
（７）上記の実施形態では、第一透明電極１４及び第二透明電極２４が、複数の菱形電極を互いに接続した形状を有する構成を例として説明した。しかし、本発明の実施形態はこれに限定されない。透明電極１４，２４は、例えばストライプ状（一定幅を有する直線状）に形成されても良いし、波状やジグザグ状に形成されても良い。透明電極１４，２４の平面視形状に応じて、第一マスク４１及び第二マスク４２の窓部（透光部）の形状が決定される。
【００６１】
（８）上記の実施形態では、中間樹脂層３３に含まれる紫外線吸収剤を加熱処理によって失活させる構成を例として説明した。しかし、本発明の実施形態はこれに限定されない。例えば、パターン露光工程で照射される紫外線Ｌよりも短波長の紫外線を照射する高エネルギーＵＶ処理によって、紫外線吸収剤を失活させても良い。
【００６２】
（９）上記の実施形態では、現像工程において、現像液を用いてウェット現像を行う例について説明した。しかし、本発明の実施形態はこれに限定されない。例えば、酸素プラズマ等の現像ガスとの接触によって現像処理するドライ現像を行っても良い。
【００６３】
（１０）その他の構成に関しても、本明細書において開示された実施形態は全ての点で単なる例示に過ぎないと理解されるべきである。従って、当業者は、本開示の趣旨を逸脱しない範囲で、適宜、種々の改変を行うことが可能である。
【００６４】
〔実施形態の概要〕
以上をまとめると、本開示に係るタッチ入力センサの製造方法は、好適には、以下の各構成を備える。
【００６５】
［１］
タッチ入力センサ（１）の製造方法であって、
透明基板（１０）の両面に、それぞれ前記透明基板（１０）側から、感光性樹脂と紫外線吸収剤とを含む中間樹脂層（３３）、及び透明導電膜（３２）の順に積層する工程と、
両面側の前記中間樹脂層（３３）及び前記透明導電膜（３２）をそれぞれ覆うようにマスク（４１，４２）を配置して、両面側から紫外線（Ｌ）によるパターン露光を行う工程と、
現像して、前記透明基板（１０）の両面に前記透明導電膜（３２）からなる透明電極（１４，２４）を形成する工程と、を備える。
【００６６】
この構成によれば、透明基板の両面に中間樹脂層と透明導電膜とをそれぞれ積層してからパターン露光する。このパターン露光の際、２つのマスクの位置合わせ自体は比較的容易かつ高精度に行うことができるので、現像後に透明基板の両面に分かれて得られる一対の透明電極どうしの位置合わせも容易に行うことができる。
また、上記の構成では、透明基板の両面に設けられる感光性樹脂を含む中間樹脂層が紫外線吸収剤をさらに含むので、一対の透明電極の一方のパターニングと他方のパターニングとが相互に影響し合うことを抑制できる。つまり、透明基板の一方の面（以下、「第一面」と言う）側で一方の透明電極をパターニングするための紫外線は、紫外線吸収剤で吸収されて他方の面（以下、「第二面」と言う）側まではほとんど透過しない。同様に、透明基板の第二面側で他方の透明電極をパターニングするための紫外線は、紫外線吸収剤で吸収されて第一面側まではほとんど透過しない。よって、透明基板の両面に分かれて得られる一対の透明電極のパターニングをそれぞれ適切に行うことができる。露光工程数が少なく、両面側から露光さえできれば装置に関する制約もほとんどないので、簡易に一対の透明電極を形成することができ、タッチ入力センサの製造を簡易化することができる。
【００６７】
［２］
前記中間樹脂層（３３）において、感光性樹脂層（３４）中に前記紫外線吸収剤が分散保持されている。
【００６８】
この構成によれば、感光性樹脂層中に紫外線吸収剤を分散させることにより、感光性樹脂と紫外線吸収剤とを含む中間樹脂層を容易に形成することができる。また、パターン露光の際、分散保持された紫外線吸収剤により、表層側（透明導電膜側）に比べて深層側（透明基板側）における感光性樹脂層の硬化が不十分となり、アンダーカット形状が生じやすい。このため、その後の現像時に、透明導電膜と感光性樹脂層における表層側部分のみが除去されて、透明電極と非電極部分との段差を小さく抑えることができる。よって、透明電極のパターン見えが生じるのを抑制することができる。
【００６９】
［３］
現像後、前記中間樹脂層（３３）に含まれる前記紫外線吸収剤を失活させる工程と、
前記紫外線吸収剤を失活させた後、両面側の前記中間樹脂層（３３）を全面露光する工程と、
をさらに備える。
【００７０】
この構成によれば、パターン露光及び現像の後、紫外線吸収剤を失活させてから両面側の中間樹脂層を全面露光するので、紫外線吸収剤の影響を受けることなく、中間樹脂層におけるパターン化された部分及び未硬化の部分を完全硬化させることができる。よって、感光性樹脂層中に紫外線吸収剤が分散保持された構成の中間樹脂層を用いる場合であっても、全体の完全硬化を適切に行うことができ、適正性能を有するタッチ入力センサを得ることができる。
【００７１】
［４］
前記紫外線吸収剤が、前記透明導電膜（３２）側から前記透明基板（１０）側に向かうに従って高濃度となる濃度勾配を有する状態で前記感光性樹脂層（３４）中に分散保持されている。
【００７２】
この構成によれば、パターン露光の際に中間樹脂層における透明導電膜側の大部分を適切に硬化させやすいとともに、透明基板に対して反対側への紫外線の透過を効果的に抑制できる。
【００７３】
［５］
前記中間樹脂層（３３）において、感光性樹脂層（３４）と紫外線吸収剤層（３７）とが、前記感光性樹脂層（３４）が前記透明導電膜（３２）側に位置する状態で積層されている。
【００７４】
この構成によれば、感光性樹脂層と紫外線吸収剤層とを別々に形成して積層させることにより、感光性樹脂と紫外線吸収剤とを含む中間樹脂層を容易に形成することができる。感光性樹脂層が透明導電膜側に位置し、紫外線吸収剤層が透明基板側に位置する状態で積層されるので、パターン露光の際に感光性樹脂層を適切に硬化させることができるとともに、透明基板に対して反対側への紫外線の透過を効果的に抑制できる。また、中間樹脂層の厚みを一定とした場合に、紫外線吸収剤層の厚みに応じて、感光性樹脂層の厚みを小さく抑えることができる。よって、パターン露光工程及びその後の現像後に、透明電極と非電極部分との段差を小さく抑えることができる。よって、透明電極のパターン見えが生じるのを抑制することができる。
【００７５】
［６］
前記中間樹脂層（３３）が、前記紫外線吸収剤層（３７）に対して前記感光性樹脂層（３４）とは反対側に積層された非感光性樹脂層（３８）をさらに含む。
【００７６】
この構成によれば、中間樹脂層の厚みを一定とした場合に、非感光性樹脂層及び紫外線吸収剤層の厚みに応じて、感光性樹脂層の厚みをさらに小さく抑えることができる。よって、透明電極と非電極部分との段差をさらに小さく抑えることができる。よって、透明電極のパターン見えが生じるのを有効に抑制することができる。
【００７７】
また、本開示に係る感光性導電フィルムは、好適には、以下の各構成を備える。
【００７８】
［７］
感光性導電フィルム（３）であって、
基材フィルム（３１）と、
前記基材フィルム（３１）上に配置された透明導電膜（３２）と、
前記透明導電膜（３２）上に配置された、感光性樹脂と紫外線吸収剤とを含むＵＶカット機能付感光層（３３）と、
を備える。
【００７９】
このような構成の感光性導電フィルムを２枚用いて、ＵＶカット機能付感光層がそれぞれ透明基板の両面に接するように被着させると、透明基板の両面に、それぞれ透明基板側からＵＶカット機能付感光層及び透明導電膜の順に積層された積層体が形成される。この積層体における両面側のＵＶカット機能付感光層及び透明導電膜をそれぞれ覆うようにマスクを配置して、両面側からパターン露光を行うことで、現像後に透明基板の両面に分かれて得られる一対の透明電極どうしの位置合わせを容易に行うことができる。
また、上記の構成では、透明基板の両面に設けられる感光性樹脂を含むＵＶカット機能付感光層が紫外線吸収剤をさらに含むので、一対の透明電極の一方のパターニングと他方のパターニングとが相互に影響し合うことを抑制できる。よって、透明基板の両面に分かれて得られる一対の透明電極のパターニングをそれぞれ適切に行うことができる。露光工程数が少なく、両面側から露光さえできれば装置に関する制約もほとんどないので、簡易に一対の透明電極を形成することができ、タッチ入力センサの製造を簡易化することができる。
従って、簡易に製造可能であり、かつ、一対の透明電極どうしの位置合わせを容易に行うことができるタッチ入力センサの製造方法に適した感光性導電フィルムを提供することができる。
【００８０】
なお、感光性導電フィルムも、上述したタッチ入力センサの製造方法に関して説明した好適な構成（［２］，［４］〜［６］）を備えることが好ましい。この場合において、上記［４］の構成における「前記透明基板（１０）側」は、「前記基材フィルム（３１）とは反対側」と読み替えて考えれば良い。
【００８１】
本開示に係るタッチ入力センサの製造方法及び感光性導電フィルムは、上述した各効果のうち、少なくとも１つを奏することができれば良い。
【産業上の利用可能性】
【００８２】
本開示に係る技術は、例えばタッチ入力センサの製造において、一対の透明電極を形成するために利用することができる。
【符号の説明】
【００８３】
１        タッチ入力センサ
３        感光性導電フィルム
１０      透明基板
１４      第一透明電極（透明電極）
２４      第二透明電極（透明電極）
３１      基材フィルム
３２      透明導電膜
３３      中間樹脂層（ＵＶカット機能付感光層）
３４      感光性樹脂層
３６      熱可塑性紫外線吸収剤層（紫外線吸収剤層、非感光性樹脂層）
３７      紫外線吸収剤層
３８      熱可塑性樹脂層（非感光性樹脂層）
４１      第一マスク（マスク）
４２      第二マスク（マスク）
Ｌ        紫外線
【図１】
0006027633.tif 000002
【図２】
0006027633.tif 000003
【図３】
0006027633.tif 000004
【図４】
0006027633.tif 000005
【図５】
0006027633.tif 000006
【図６】
0006027633.tif 000007
【図７】
0006027633.tif 000008
【図８】
0006027633.tif 000009
【図９】
0006027633.tif 000010
【図１０】
0006027633.tif 000011
【図１１】
0006027633.tif 000012
【図１２】
0006027633.tif 000013
【図１３】
0006027633.tif 000014